(57)【特許請求の範囲】
【請求項１】
車両の左右車輪の制動力差を発生して当該車両のヨーイングモーメント制御を行うようにした車両挙動制御装置であって、
前記ヨーイングモーメント制御におけるフィードフォワード制御量を決定する制御ゲインを設定する制御ゲイン設定手段を備え、
当該制御ゲイン設定手段は、前記車両の車両前後加速度に基づいて設定する制御ゲインを、前記前後加速度が所定値よりも小さい領域では、前記前後加速度が零のときに対して下げるように設定し、前記前後加速度が前記所定値のときには、前記前後加速度が零のときと同じ値に設定し、前記前後加速度が前記所定値よりも大きい領域では、前記前後加速度の増加に応じて徐々に大きくなる値に設定することで、前記前後加速度のほぼ全域に亘ってヨーレート加速度が一定となるように設定することを特徴とする車両挙動制御装置。
【請求項２】
請求項１に記載の車両挙動制御装置において、
前記制御ゲイン設定手段は、前記車両の車両前後加速度に基づいて設定する制御ゲインのうち、ヨーレート加速度が所定値を超えた領域の制御ゲインを、当該所定値よりも下げて設定することを特徴とする車両挙動制御装置。
【請求項３】
請求項１又は２に記載の車両挙動制御装置において、
前記制御ゲイン設定手段は、前記設定した制御ゲインを、前記車両の輪荷重に応じて変更することを特徴とする車両挙動制御装置。
【請求項４】
請求項１〜３のいずれか１項に記載の車両挙動制御装置において、
前記制御ゲイン設定手段は、前記設定した制御ゲインを、前記車両の重量に応じて変更することを特徴とする車両挙動制御装置。
【請求項５】
請求項１〜４のいずれか１項に記載の車両挙動制御装置において、
前記制御ゲイン設定手段は、前記設定または変更後の制御ゲインを、路面の摩擦係数に応じてさらに変更することを特徴とする車両挙動制御装置。
【請求項６】
請求項１〜５のいずれか１項に記載の車両挙動制御装置において、
前記制御ゲイン設定手段は、設定または変更後の制御ゲインを、前記車両の速度に応じてさらに変更することを特徴とする車両挙動制御装置。
【請求項７】
請求項１〜６のいずれか１項に記載の車両挙動制御装置において、
前記制御ゲイン設定手段は、前記車両が勾配路を走行しているときは、前記設定または変更後の制御ゲインをその勾配路に応じて変更することを特徴とする車両挙動制御装置。
【請求項８】
請求項１〜７のいずれか１項に記載の車両挙動制御装置において、
前記制御ゲイン設定手段は、前記車両が旋回走行しているときに当該車両をさらにその旋回内側に旋回するときは、前記設定または変更後の制御ゲインの下げる領域と量が小さくなるように変更し、当該車両をその旋回外側に旋回するときは、前記設定または変更後の制御ゲインの下げる領域と量が大きくなるように変更することを特徴とする車両挙動制御装置。
【請求項９】
車両に作用する入力および当該車両に発生する物理量に基づいて当該車両の左右車輪の制動力差を発生して当該車両のヨーイングモーメント制御を行うようにした車両挙動制御方法であって、
前記ヨーイングモーメント制御におけるフィードフォワード制御量を決定する制御ゲインを設定する制御ゲイン設定ステップを有し、
当該制御ゲイン設定ステップは、前記車両の車両前後加速度に基づいて前記制御ゲインを設定するときは、前記前後加速度が所定値よりも小さい領域では、前記前後加速度が零のときに対してその制御ゲインを下げるように設定し、前記前後加速度が前記所定値のときには、前記前後加速度が零のときと同じ値に設定し、前記前後加速度が前記所定値よりも大きい領域では、前記前後加速度の増加に応じて徐々に大きくなる値に設定ことで、前記前後加速度のほぼ全域に亘ってヨーレート加速度が一定となるようにその制御ゲインを設定することを特徴とする車両挙動制御方法。
【請求項１０】
請求項９に記載の車両挙動制御方法において、
前記制御ゲイン設定ステップは、前記車両の車両前後加速度に基づいて制御ゲインを設定するときは、当該制御ゲインのうち、ヨーレート加速度が所定値を超えた領域の制御ゲインを、当該所定値よりも下げて設定することを特徴とする車両挙動制御方法。
【請求項１１】
請求項９又は１０に記載の車両挙動制御方法において、
前記制御ゲイン設定ステップは、前記設定した制御ゲインを、前記車両の輪荷重に応じて変更することを特徴とする車両挙動制御方法。
【請求項１２】
請求項９〜１１のいずれか１項に記載の車両挙動制御方法において、
前記制御ゲイン設定ステップは、前記設定した制御ゲインを、前記車両の重量に応じて変更することを特徴とする車両挙動制御方法。
【請求項１３】
請求項９〜１２のいずれか１項に記載の車両挙動制御方法において、
前記制御ゲイン設定ステップは、前記設定または変更後の制御ゲインを、路面の摩擦係数に応じてさらに変更することを特徴とする車両挙動制御方法。
【請求項１４】
請求項９〜１３のいずれか１項に記載の車両挙動制御方法において、
前記制御ゲイン設定ステップは、設定または変更後の制御ゲインを、前記車両の速度に応じてさらに変更することを特徴とする車両挙動制御方法。
【請求項１５】
請求項９〜１４のいずれか１項に記載の車両挙動制御方法において、
前記制御ゲイン設定ステップは、前記車両が勾配路を走行しているときは、前記設定または変更後の制御ゲインをその勾配路に応じて変更することを特徴とする車両挙動制御方法。
【請求項１６】
請求項９〜１５のいずれか１項に記載の車両挙動制御方法において、
前記制御ゲイン設定ステップは、前記車両が旋回走行しているときに当該車両をさらにその旋回内側に旋回するときは、前記設定または変更後の制御ゲインの下げる領域と量が小さくなるように変更し、当該車両をその旋回外側に旋回するときは、前記設定または変更後の制御ゲインの下げる領域と量が大きくなるように変更することを特徴とする車両挙動制御方法。
【発明の詳細な説明】
【技術分野】
【０００１】
本発明は、車両に作用する入力や車両に発生する物理量等から車両の各輪の制動力を制御してその挙動制御を行う車両挙動制御装置および車両挙動制御方法に関するものである。
【背景技術】
【０００２】
一般に車両挙動制御装置は、車両の左右車輪に制動力差を発生させて車両のヨーイングモーメントを制御して車両の挙動を制御するものであり、例えば以下の特許文献１に示すようなものが知られている。
この車両挙動制御装置は、各種センサや制御ゲイン設定手段を備え、先ず、車両の走行中に検出される操舵角および自車両前方障害物との相対位置状況のいずれかに応じて車両のヨーイングモーメント制御の制御量を決定する制御ゲインを設定する。次に、この制御ゲイン設定手段で設定された制御ゲイン、操舵角速度および操舵角加速度に基づいて左右車輪の制動力差を発生させて車両のヨーイングモーメント制御を行うようにしたものである。
【０００３】
そして、操舵角が小さいときには制御ゲインを小さく設定してハンドル中立付近において小操舵角で大操舵角速度での制動力制御の作動を抑制し、反対に操舵角が大きいときには制御ゲインを大きく設定して位相遅れのないように制動力制御を大きくする。
これによって、効果的に制御に介入することができると共に、ドライバーに違和感のないヨーイングモーメント制御を行うことができるようになっている。
【特許文献１】特開２００５−１５３６１７号公報
【発明の開示】
【発明が解決しようとする課題】
【０００４】
ところで、前記制御ゲイン設定手段で設定される制御ゲインを車両前後加速度に基づいて設定する場合、その制御ゲインの最低値は“１”であり、前後加速度が所定値を超えたときからその制御ゲインが徐々に増加するように設定している（引用文献１の図９）。
このため、前後加速度が所定値よりも高い領域（高Ｇ領域：急制動時）では、その加速度に応じて制御ゲインが変化するため、操舵に対するヨーレートの応答性が良く効果的であるが、前後加速度が所定値よりも低い領域（低Ｇ領域：緩制動時）では、制御ゲインが変化せず一定（“１”）であるため、操舵に対するヨーレートの応答性の変化幅が大きいものであった。
【０００５】
従って、緩制動時（低Ｇ領域）に車両前後加速度に基づくヨーイングモーメント制御が行われた場合には、その車両挙動を予測し難く、ドライバーなどに違和感を与えるといった課題がある。
そこで、本発明はこの改題を解決するために案出されたものであり、その目的は、緩制動時においても操舵に対するヨーレートの応答の予測が容易なヨーイングモーメント制御を行うことができる車両挙動制御装置および車両挙動制御方法を提供するものである。
【課題を解決するための手段】
【０００６】
前記課題を解決するために本発明は、
制御ゲイン設定手段が、車両の車両前後加速度に基づいてヨーイングモーメント制御におけるフィードフォワード制御量を決定する制御ゲインを設定するときは、その制御ゲインを、前記前後加速度が所定値よりも小さい領域では、前記前後加速度が零のときに対してその制御ゲインを下げるように設定し、前記前後加速度が前記所定値のときには、前記前後加速度が零のときと同じ値に設定し、前記前後加速度が前記所定値よりも大きい領域では、前記前後加速度の増加に応じて徐々に大きくなる値に設定ことで、前記前後加速度のほぼ全域に亘ってヨーレート加速度が一定となるように設定するものである。
【発明の効果】
【０００７】
本発明によれば、フィードフォワード制御量を決定する制御ゲインを、車両の前後加速度のほぼ全域に亘ってそのヨーレート加速度が一定となるように設定したことから、緩制動時においても操舵に対するヨーレートの応答の予測が容易なヨーイングモーメント制御を行うことができる。  
すなわち、車両の前後加速度が所定値よりも小さい領域（緩制動時）では、前後加速度が零のとき（非制動時）に対してその制御ゲインを下げるように設定すれば、緩制動時の操舵に対するヨーレートの応答を非制動時や高Ｇ領域とほぼ同じにすることができる。
これによって、回避操作を行ったときのヨーレートの応答の予測が容易なヨーイングモーメント制御が可能となるため、ドライバーに違和感を与えることなく回避操作をアシストすることができる。
【発明を実施するための最良の形態】
【０００８】
以下、本発明を実施するための最良の形態を添付図面を参照しながら詳述する。
（構成）
図１は、本発明に係る車両挙動制御装置を備えた車両１００の駆動系の構成を示した概略図である。
図示するように、この車両１００は、エンジン９と自動変速機１０およびその動力を後輪５ＲＬ、５ＲＲに伝えるコンベンショナルディファレンシャルギヤ（図示せず）を搭載した後輪駆動車両である。
【０００９】
また、この車両１００には、本実施の形態に係る車両挙動制御装置の要部となるコントロールユニット８や制動流体圧制御回路７などが搭載されており、これらによって前輪５ＦＬ、５ＦＲおよび後輪５ＲＬ、５ＲＲの制動力（制動液圧）を独立に制御可能となっている。
図中の符号１はブレーキペダル、２はブースタ、３はマスタシリンダ、４はリザーバである。通常は、運転者によるブレーキペダル１の踏込み量に応じ、マスタシリンダ３で昇圧された制動流体圧が、前輪５ＦＬ、５ＦＲおよび後輪５ＲＬ、５ＲＲの各ホイールシリンダ６ＦＬ〜６ＲＲに供給されるようになっている。
【００１０】
そして、このマスタシリンダ３と各ホイールシリンダ６ＦＬ〜６ＲＲとの間に、前記の制動流体圧制御回路７が介装されており、この制動流体圧制御回路７内で、各ホイールシリンダ６ＦＬ〜６ＲＲの制動流体圧を個別に制御するようになっている。 
この制動流体圧制御回路７は、例えばアンチスキッド制御やトラクション制御に用いられる制動流体圧制御回路を利用したものであり、本実施の形態では、各ホイールシリンダ６ＦＬ〜６ＲＲの制動流体圧をそれぞれ単独で増減圧できるように構成されている。
【００１１】
この制動流体圧制御回路７は、コントロールユニット８からの制動流体圧指令値に応じて各ホイールシリンダ６ＦＬ〜６ＲＲの制動流体圧を制御するようになっている。
また、この車両１００には、駆動トルクコントローラ１２が設けられており、エンジン９の運転状態、自動変速機１０の選択変速比およびスロットルバルブ１１のスロットル開度を制御することにより駆動輪である後輪５ＲＬ、５ＲＲへの駆動トルクを制御している。
【００１２】
また、エンジン９の運転状態制御は、例えば燃料噴射量や点火時期を制御したり、同時にスロットル開度を調整することによって制御している。なお、この駆動トルクコントローラ１２は、単独で後輪５ＲＬ、５ＲＲの駆動トルクを制御することも可能であるが、コントロールユニット８から駆動トルクの指令値が入力されたときには、その駆動トルク指令値を参照しながら駆動輪トルクを制御するようになっている。 
さらに、この車両１００の前方側の車体下部には、外界認識センサ１４が設けられている。
【００１３】
この外界認識センサ１４は、スキャニング式のレーザレーダで構成され、一定角度ずつ水平方向にずれながら周期的に車両の前方方向に所定の照射範囲内で細かいレーザ光を照射するようになっている。そして、前方物体から反射して戻ってくる反射光を受光して出射タイミングから反射光の受光タイミングまでの時間差に基づいて各角度における自車両と前方物体との間の車間距離Ｌ、前方物体の幅Ｗおよび相対速度ΔＶを検出するようになっており、これらの検出信号をコントロールユニット８に随時入力するようになっている。
【００１４】
さらに、この車両１００には、加速度センサ１５と、ヨーレートセンサ１６と、ブレーキストロークセンサ１７と、操舵角センサ２０と、車輪速度センサ２１ＦＬ〜２１ＲＲが備えられており、各検出信号をコントロールユニット８に入力するようになっている。
ここで、加速度センサ１５は、走行時に自車両に発生する前後加速度Ｘｇおよび横加速度Ｙｇを検出するセンサであり、ヨーレートセンサ１６は、ヨーレートｄψを検出するセンサであり、ブレーキストロークセンサ１７は、ブレーキペダルストロークηを検出するセンサである。また、操舵角センサ２０は、ステアリングホイール１９の操舵角θを検出するセンサであり、車輪速度センサ２１ＦＬ〜２１ＲＲは、各車輪５ＦＬ〜５ＲＲの回転速度、すなわち車輪速度Ｖｗjを検出するセンサである。
【００１５】
なお、検出された車両の走行状態データに左右の方向性がある場合には、いずれも左方向を正方向とする。すなわち、ヨーレートｄψや横加速度Ｘｇ、ハンドル角（操舵角）θは、左旋回時に正値となる。 
次に、前述したコントロールユニット８は、マイクロコンピュータとその周辺機器を備えて構成されており、マイクロコンピュータのＲＯＭに内蔵されたソフトウェアによって図２に示すような制御ブロックを構成している。 
【００１６】
この制御ブロックは、相対位置状況検出部３１と、制御ゲイン設定部３２と、操舵角速度算出部３３と、Ｆ／Ｆ制御ヨーモーメント量算出部３４と、Ｆ／Ｂ制御ヨーモーメント量算出部３５と、修正ヨーモーメント量算出部３６と、制動力制御部３７とを備えている。
ここで、相対位置状況検出部３１は、外界認識センサ１４の検出信号から自車両と自車前方障害物との相対位置状況を検出する機能を発揮するようになっている。
【００１７】
制御ゲイン設定部３２は、この相対位置状況検出部３１で検出した相対位置状況または操舵角センサ２０で検出した操舵角θに基づいてヨーイングモーメント制御の制御ゲインＴ１およびＴ２を設定する機能を発揮するようになっている。
操舵角速度算出部３３は、操舵角センサ２０で検出した操舵角θに基づいて操舵角速度ｄθおよび操舵角加速度ｄ（ｄθ）を算出するようになっている。
【００１８】
Ｆ／Ｆ制御ヨーモーメント量算出部３４は、この操舵角速度算出部３３で算出した操舵角速度ｄθおよび操舵角加速度ｄ（ｄθ）と前記制御ゲイン設定部３２で設定した制御ゲインＴ１およびＴ２とに基づいてフィードフォワード制御によるヨーモーメント量ΔＭffを演算する機能を発揮するようになっている。
Ｆ／Ｂ制御ヨーモーメント量算出部３５は、フィードバック制御によるヨーモーメント量ΔＭfbを演算する機能を発揮するようになっている。
【００１９】
また、修正ヨーモーメント量算出部３６は、Ｆ／Ｆ制御ヨーモーメント量算出部３４で算出したヨーモーメント量ΔＭffと、Ｆ／Ｂ制御ヨーモーメント量算出部３５で算出したヨーモーメント量ΔＭfbとに基づいて修正ヨーモーメント量ΔＭを演算する機能を発揮するようになっている。
そして、制動力制御部３７は、この修正ヨーモーメント量算出部３６で算出した修正ヨーモーメント量ΔＭに基づいて各車輪の制動力を設定し、その値を目標制御液圧Ｐ＊に換算し、液圧サーボを通して制御指令を出力する機能を発揮するようになっている。 
【００２０】
（車両挙動制御処理）
次に、このような構成をしたコントロールユニット８で行われる車両挙動制御処理について、図３のフローチャートに従って説明する。なお、この車両挙動制御処理は、例えば１０ｍｓｅｃ毎のタイマ割込処理によって実行される。 
この車両挙動制御処理では、先ずステップＳ１で、前記各センサからの各種データを読み込む。具体的には、前記各センサで検出されたハンドル角（操舵角）θ、車速Ｖ、ブレーキ圧Ｐｂ、ヨーレートｄψ、前後加速度Ｘｇ、横加速度Ｙｇおよび路面μを読み込む。
【００２１】
次いで、ステップＳ２に移行して、ステップＳ１で読み込んだハンドル角（操舵角）θを微分することにより操舵角速度ｄθを算出し、操舵角θを二階微分することにより操舵角加速度ｄ（ｄθ）を算出し、ステップＳ３に移行する。 
ステップＳ３では、後述する制御ゲインの演算処理を行って読み込んだセンサ値から緊急度を検出し、それに応じたフィードフォワード制御の操舵角速度ｄθに対する発生ヨーモーメントゲインＴ１と、操舵角加速度ｄ（ｄθ）に対する発生ヨーモーメントゲインＴ２を設定する。
【００２２】
次にステップＳ４に移行して、前記ステップＳ２で算出された操舵角速度ｄθと操舵角加速度ｄ（ｄθ）、および前記ステップＳ３で設定されたフィードフォワード制御ゲインＴ１とＴ２とに基づいて、下記（１）式をもとにフィードフォワード制御によるブレーキヨーモーメント量ΔＭffを演算してステップＳ５に移行する。 
ΔＭff＝τ１×ｄθ＋τ２×ｄ（ｄθ） ………（１） 
ステップＳ５では、目標ヨーイング運動量と実ヨーイング運動量でのフィードバック制御によるブレーキヨーモーメント制御量ΔＭfbを演算する。すなわち、車速Ｖと操舵角θとに基づいて目標ヨーレートｄψ＊を算出し、次に、この目標ヨーレートｄψ＊と実ヨーレートｄψとの偏差（またはその変化量）を算出し、この算出した状態量を基に要求する修正モーメント量ΔＭfbを計算する。 
【００２３】
ここで、これらの値の用い方は任意であり、例えば走行状態に応じて変更される制御ゲインを付加して上記各値の線形和を取るフィードバック制御が一般的である。 
次に、ステップＳ６に移行して下記（２）式をもとに、前記ステップＳ４で演算したフィードフォワード制御によるヨーモーメント量ΔＭffと、前記ステップＳ５で演算したフィードバック制御によるヨーモーメント制御量ΔＭfbとの和から実際に車両に発生させる修正ヨーモーメント量ΔＭを演算する。 
ΔＭ＝ΔＭff＋ΔＭfb ………（２） 
【００２４】
これは、前述したように、フィードバック制御（Ｆ／Ｂ制御）のみでは、ヨーイング運動量の偏差が生じてから修正のための制御が開始されるため、不安定挙動の修正や外乱安定性には効果的であるが、位相遅れを積極的に改善できない。一方、フィードフォワード制御（Ｆ／Ｆ制御）のみでは、ハンドル操作に応じて制御することで、位相遅れを改善し、応答性を向上する効果は期待できるが、大きな挙動の乱れについては、ハンドル操作量が正確で大きくないと効果が小さい。そのため、Ｆ／Ｆ制御量とＦ／Ｂ制御量の和を取ることで、Ｆ／Ｆ制御により積極的に位相遅れを改善し、一方、Ｆ／Ｂ制御により安定性を確保することができる。 
そして、ステップＳ７で、前記修正ヨーモーメント量ΔＭを実現するための各車輪の制動力を設定し、その値を目標制御液圧Ｐ＊に換算し、液圧サーボを通して制御を行う。 
【００２５】
（制御ゲイン演算処理）
図４は、前記ステップＳ３における制御ゲインの演算処理の流れを示したものである。
図示するように、最初のステップＳ３０では、後述する前方障害物ゲイン設定処理を実行し、緊急状態判断フラグemg _ｆ、衝突時間感応ゲインＫttc、車間距離感応ゲインＫl、ラップ量感応ゲインＫwを設定してから次のステップＳ３１に移行する。 
ステップＳ３１では、図５に示すような車速感応ゲイン算出マップを参照し、車速Ｖに基づいて車速感応ゲインＫｖを設定する。
【００２６】
この車速感応ゲイン算出マップは、車速Ｖの増加に応じて制御ゲインが“０”から“１”まで増加するように設定されている。また、前記ステップＳ３１で設定した緊急状態判断フラグＦが、自車前方に障害物が存在する緊急状態であることを示す“１”にセットされているときには、図５の実線に示すように、緊急状態判断フラグＦが緊急状態にないことを示す“０”にリセットされている通常状態（破線）と比較して制御ゲインが大きく設定される。
ここで、基本的には、緊急度は、車速が高くなるほど危険に陥りやすく、また、ダメージが増加するため高くなるといえる。 
【００２７】
次に、ステップＳ３２では、後述する操舵角速度ゲイン設定処理を実行し、操舵角速度ゲインＫｄθおよび操舵角速度感応ゲインＫｖｓａを設定してからステップＳ３３に移行して、図６に示すような操舵角加速度ゲイン算出マップを参照し、操舵角速度ｄ（ｄθ）に基づいて操舵角加速度ゲインＫｄ（ｄθ）を設定する。
この操舵角加速度ゲイン算出マップは、操舵角加速度ｄ（ｄθ）の増加に応じて、制御ゲインが“１”から増加するように設定されている。 緊急回避状態では、回避距離が短くなればなるほど回避操作を早くするため、ドライバーはハンドル操作を素早く行うので、操舵角加速度の大きさに応じて緊急度は高いといえる。
【００２８】
次に、ステップＳ３４で、図７に示すような路面摩擦係数ゲイン算出マップを参照し、路面摩擦係数μに基づいて路面摩擦係数ゲインＫμを設定する。路面摩擦係数μは、前後加速度Ｘｇ，横加速度Ｙｇ等から推定したり、路車間通信によりインフラ側より送られた路面摩擦係数値μを適用したりする。 
ここで、路面のμ値が小さい場合には、大きい場合に比べてタイヤで発生できる力が小さくなってしまうため、小さなハンドル操作でも位相遅れが発生し、また、不安定挙動が発生しやすく緊急度は高い。このため、比較的遅いハンドル操作速度状態からヨーモーメント制御で位相補償する必要があり、一方、ドライバーは滑りやすい路面で普通ではないことを認識しているため、減速Ｇに対しての違和感よりも車両挙動の改善効果を覚えることができる。 
【００２９】
次に、ステップＳ３５で、図８に示すような横加速度ゲイン算出マップを参照し、横加速度Ｙｇに基づいて横加速度ゲインＫＹｇを設定する。この横加速度ゲイン算出マップは、横加速度Ｙｇの増加に応じて制御ゲインが１から増加するように設定されている。 
横加速度Ｙｇが大きい状態では、旋回時のコーナリングフォースによる旋回抵抗のため減速Ｇ方向の成分が生じるため、減速Ｇによる違和感がわかりづらくなり、また、車両の運動状態もタイヤの摩擦限界付近では、タイヤＣｐの低下により位相遅れが比較的大きくなるので位相補償のためゲインを大きくする必要があり、また、タイヤ摩擦限界を超えた不安定挙動を生じやすく緊急度は高い。
【００３０】
次に、ステップＳ３６では、図９に示すような車両前後加速度ゲイン算出マップを参照し、車両前後減速度Ｘｇに基づいて車両前後加速度ゲインＫＸｇを設定する。緩制動時（低Ｇ領域）は、フロントの輪荷重が大きくなり、操舵に対するヨーレートの応答が早くなっているため、ヨーモーメント制御時にドライバーに違和感を与えてしまう。この車両前後加速度ゲイン算出マップは、車両前後加速度Ｘｇが小さい領域（緩制動時）では、制御ゲインが“１”より小さくなるように設定し、車両前後加速度が大きい領域（急制動時）では、制御ゲインが“１”から増加するように設定されている。
【００３１】
このステップＳ３６における車両前後加速度ゲイン算出マップに基づく車両前後加速度ゲインＸｇが、本実施の形態の特徴部分であるため、後に詳述するが、一般に減速度が大きければ制動力によるヨーモーメント制御時の減速Ｇによる違和感自体がわかりづらく、また、減速Ｇが大きい急制動時には衝突やそれを避けるための緊急回避が想定されるため緊急度が高い。
【００３２】
次に、ステップＳ３７では、図１１に示すようなブレーキ液圧ゲイン算出マップを参照し、ドライバーのブレーキ操作量に相当する制動力、ブレーキ操作ストロークまたはブレーキ圧力に基づいて、ブレーキ液圧ゲインＫＰｂを設定する。このブレーキ液圧ゲイン算出マップは、ブレーキ操作量の増加に応じて制御ゲインが増加するように設定されている。 
【００３３】
次に、ステップＳ３８では、下記（３）式をもとに、前記ステップＳ３０〜３７で得られたそれぞれの状態や操作量の緊急度に応じた制御ゲインの最大値を取る（セレクトハイ）ことで緊急度に関するゲインＫｘを設定する。 
Ｋｘ＝ｍａｘ（Ｋ，Ｋ，Ｋ，Ｋｄθ，Ｋｖｓａ，Ｋｄ（ｄθ），Ｋμ，ＫＹｇ，
ＫＸｇ，ＫＰｂ） ………（３） 
ここで、ｍａｘ（ ）は、括弧内の最大値を選択する関数である。 
そして、ステップＳ３９に移行して、下記（４）および（５）式をもとにフィードフォワード制御のヨーモーメントを演算するためのヨーモーメントゲインＴ１およびＴ２を算出してからタイマ割込処理を終了し、所定のメインプログラムに復帰する。 
Ｔ１＝Ｋｖ×Ｋｘ×Ｔ０１ ………（４） 
Ｔ２＝Ｋｖ×Ｋｘ×Ｔ０２ ………（５） 
【００３４】
（車両前後加速度ゲインの第１実施の形態）
次に、図１０は、本実施の形態の特徴部分である図９に示した車両前後加速度ゲインＫＸｇの算出マップを作成するための車両ヨーレート特性を示したグラフ図である。
一般に車両のヨーレート特性は、図の破線に示すように前後加速度Ｘｇが零（０）である非制動時から緩制動時の低Ｇ領域（Width_Xg）では、前後加速度Ｘｇが大きくなるにつれてそのヨーレート加速度が一旦上昇してから緩やかに降下するような放物線状となっている。そして、その後は、前後加速度Ｘｇが大きくなるにしたがってそのヨーレート加速度が減少するようになっている。一方、制御による車両のヨーレート加速度目標値は、同図の実線に示すように全域に亘って一定（フラット）であることが望ましい。
【００３５】
これに対し、従来の車両前後加速度ゲイン算出マップは、この緩制動時の低Ｇ領域（Width_Xg）の範囲では、その制御ゲインＫＸｇが一定、すなわち“１．０”であるため、実際の車両のヨーレート特性に整合していない。そのため、この緩制動時の低Ｇ領域（Width_Xg）の範囲では、制御による車両のヨーレート加速度目標値からはずれてしまい、これが原因でその車両挙動の予測が困難となり、ドライバーに違和感を与えていることがわかった。
そこで、本実施の形態では図９に示すように車両前後加速度ゲイン算出マップの緩制動時の低Ｇ領域（Width_Xg）の範囲で変化をもたせ、車両のヨーレート特性とは逆の放物線（幅：Width_Xg、大きさ：dKXg）を描くように下げ調整したものである。
【００３６】
（第１実施の形態の効果）
これによって、緩制動時の低Ｇ領域でのずれが相殺されてヨーレート加速度を全域に亘って目標値とほぼ一致するように制御できるため、緩制動時の操舵に対するヨーレートの応答が非制動時や高Ｇ領域とほぼ同じになる。この結果、回避操作を行ったときのヨーレートの応答の予測が容易なヨーイングモーメント制御が可能となり、ドライバーに違和感を与えることなく回避操作をアシストすることができる。
【００３７】
なお、本実施の形態では、図９に示すように緩制動時の低Ｇ領域（Width_Xg）の範囲の全体についてその制御ゲインを逆放物線状に下げるようにしたが、図１０に示すようにこの領域のうち、ヨーレート加速度が最も高い領域（Width1_Xg）のみを部分的に下げるようにしても良い。
また、図９に示すような車両前後加速度ゲイン算出マップは、本実施の形態の一例であり、次に述べるように車両１００の操舵輪の荷重や重量、路面の摩擦係数、車両速度などに応じてその領域（Width_Xg）や大きさ（dKXg）などが異なる他の車両前後加速度ゲイン算出マップに変更して用いられることになる。
【００３８】
（第２実施の形態）
次に、この車両前後加速度ゲイン算出マップに関する第２実施の形態について説明する。
先ず、図１２のフローは、トラックやバスなどのように荷物や乗員の有無によって車両重量Ｗが大幅に変動する車両に対応した最適な車両前後加速度ゲイン算出マップを、複数の車両前後加速度ゲイン算出マップから選択して適用するようにしたものである。
図示するように最初のステップＳ１００において車両重量Ｗを、その輪荷重（例えば前輪５ＦＬ、５ＦＲ）などから算出して次のステップＳ１０２に移行して、その車両重量Ｗを規定荷重Ｗｎと比較して規定荷重Ｗｎよりも大きいか否かを判断する。
【００３９】
この判断処理の結果、その車両重量Ｗが規定荷重Ｗｎよりも少ないと判断したとき（Ｎｏ）は、図９に示すような標準の車両前後加速度ゲイン算出マップをそのまま用いて車両前後加速度制御ゲインＫＸｇを求める。
これとは反対に、その車両重量Ｗが規定荷重Ｗｎよりも大きいと判断したとき（Ｙｅｓ）は、ステップＳ１０４側に移行して図１３の実線に示すように、制御ゲインが“１．０”を下回る領域が狭い車両前後加速度ゲイン算出マップ（Width_Xg-Gain_W1）を選択し、この車両前後加速度ゲイン算出マップに基づいて車両前後加速度制御ゲインＫＸｇを求める。
すなわち、車両重量Ｗが大きいときには、輪荷重も大きくなっているため、制御ゲインを下げる領域が小さくした車両前後加速度ゲイン算出マップに基づいて車両前後加速度制御ゲインＫＸｇを求めることになる。
【００４０】
（第２実施の形態の効果）
これによって、車両重量（輪荷重）Ｗが変化しても車両重量によらず、操舵に対するヨーレートの応答が同じになるため、ドライバーなどに違和感を与えることなく、回避操作をアシストすることができる。
【００４１】
（第３実施の形態）
次に、図１４のフローは、この車両前後加速度ゲイン算出マップに関する第３実施の形態を示したものであり、積雪路や降雨時などのように路面の摩擦係数が変化した際に、それに適した車両前後加速度ゲイン算出マップに変更して用いるようにしたものである。
図示するように、最初のステップＳ２００においてその路面の摩擦係数μＭＹＵを計測し、次のステップＳ２０２に移行してその路面μＭＹＵが所定の値μＭＹＵｎを下回ったか否かを判断する。
この結果、その路面μＭＹＵが所定の値μＭＹＵｎを下回っていないと判断したとき（Ｎｏ）は、そのまま図９に示すような標準の車両前後加速度ゲイン算出マップに基づいて車両前後加速度制御ゲインＫＸｇを求める。
【００４２】
これとは反対に、その路面μＭＹＵが所定の値μＭＹＵｎを下回ったと判断したとき（Ｙｅｓ）は、ステップＳ２０４に移行して図１３の実線に示すように、制御ゲインが“１．０”を下回る領域（低Ｇ領域）が狭い車両前後加速度ゲイン算出マップ（Width_Xg-Gain_MYU1）を選択し、この車両前後加速度ゲイン算出マップに基づいて車両前後加速度制御ゲインＫＸｇを求める。
すなわち、路面μＭＹＵが低いときには、タイヤが発生できる横力も小さくなっているので、制御ゲインを下げる領域が小さくした車両前後加速度ゲイン算出マップに基づいて車両前後加速度制御ゲインＫＸｇを求めることになる。
（第３実施の形態の効果）
これによって、路面μＭＹＵが変化しても路面μＭＹＵによらず、操舵に対するヨーレートの応答が同じになるため、ドライバーなどに違和感を与えることなく、回避操作をアシストすることができる。
【００４３】
（第４実施の形態）
次に、図１５のフローは、この車両前後加速度ゲイン算出マップに関する第４実施の形態を示したものであり、車両１００の車両速度ＶＩが大きく変化した際に、それに適した車両前後加速度ゲイン算出マップに変更して用いるようにしたものである。
図示するように、最初のステップＳ３００においてその車両速度ＶＩを計測し、次のステップＳ３０２に移行してその車両速度ＶＩが所定の速度ＶＩｎを超えたか否かを判断する。
この結果、その車両速度ＶＩが所定の速度ＶＩｎを超えていないと判断したとき（Ｎｏ）は、そのまま図９に示すような標準の車両前後加速度ゲイン算出マップに基づいて車両前後加速度制御ゲインＫＸｇを求める。
【００４４】
これとは反対に、その車両速度ＶＩが所定の速度ＶＩｎを超えたと判断したとき（Ｙｅｓ）は、ステップＳ３０４に移行して図１６の実線に示すように、低Ｇ領域における制御ゲインの低下量が小さい車両前後加速度ゲイン算出マップ（dKXg-Gain_V1）を選択し、この車両前後加速度ゲイン算出マップに基づいて車両前後加速度制御ゲインＫＸｇを求める。
すなわち、その車両速度ＶＩが高いときには、タイヤが発生できる横力も小さくなっているので、制御ゲインを下げる量（ｄＫＸｇ）を小さくした車両前後加速度ゲイン算出マップに基づいて車両前後加速度制御ゲインＫＸｇを求めることになる。
（第４実施の形態の効果）
これによって、車両速度によらず、操舵に対するヨーレートの応答が同じになるため、ドライバーなどに違和感を与えることなく、回避操作をアシストすることができる。
【００４５】
（第５実施の形態）
次に、図１７のフローは、この車両前後加速度ゲイン算出マップに関する第５実施の形態を示したものであり、車両１００が勾配路（坂道）を走行している際に、それに適した車両前後加速度ゲイン算出マップに変更して用いるようにしたものである。
図示するように、最初のステップＳ４００においてその走行路が勾配路であるか否かの勾配路判断Ｆｌａｇｓを発生させて、次のステップＳ４０２に移行してその勾配路判断ＦｌａｇｓがＯＮになっているか否か、すなわち車両１００が坂道走行中であるか否かを判断する。
この結果、勾配路判断ＦｌａｇｓがＯＮになっていないと判断したとき（Ｎｏ）は、そのまま図９に示すような標準の車両前後加速度ゲイン算出マップに基づいて車両前後加速度制御ゲインＫＸｇを求める。
【００４６】
これとは反対に、勾配路判断ＦｌａｇｓがＯＮになっていると判断したとき（Ｙｅｓ）は、ステップＳ４０４に移行し、さらにそれが下り坂であるか否かを判断する。
この結果、その勾配路が下り坂であると判断したとき（Ｙｅｓ）は次のステップＳ４０６に移行して図１８の実線に示すように、制御ゲインが“１．０”を下回る領域（低Ｇ領域）が狭い車両前後加速度ゲイン算出マップ（Width_Xg-Gein_Slope1）を選択し、この車両前後加速度ゲイン算出マップに基づいて車両前後加速度制御ゲインＫＸｇを求める。
【００４７】
一方、ステップＳ４０４の判断処理においてその勾配路が下り坂でないと判断したとき（Ｎｏ）はステップＳ４０８側に移行し、それが登り坂であるか否かを判断する。
この結果、登り坂でないと判断したとき（Ｎｏ）は、ステップＳＳ４０２における勾配路判断Ｆｌａｇｓ＝ＯＮが無効であると判断してそのまま図９に示すような標準の車両前後加速度ゲイン算出マップに基づいて車両前後加速度制御ゲインＫＸｇを求める。
【００４８】
これに対し、登り坂であると判断したとき（Ｙｅｓ）は、ステップＳ４１０に移行して図１８の一点破線に示すように、制御ゲインが“１．０”を下回る領域（低Ｇ領域）が狭い車両前後加速度ゲイン算出マップ（Width_Xg+Gein_Slope1）を選択し、この車両前後加速度ゲイン算出マップに基づいて車両前後加速度制御ゲインＫＸｇを求める。
すなわち、車両１００が下り坂を走行しているときには、目標減速度より実際の輪荷重（前輪５ＦＬ、５ＦＲ）のほうが大きくなっているため、制御ゲインを下げる領域が小さい車両前後加速度ゲイン算出マップを選択し、この車両前後加速度ゲイン算出マップに基づいて車両前後加速度制御ゲインＫＸｇを求めることになる。
【００４９】
反対に、車両１００が登り坂を走行しているときには、目標減速度より実際の輪荷重（前輪５ＦＬ、５ＦＲ）のほうが小さくなっているため、制御ゲインを下げる領域が大きい車両前後加速度ゲイン算出マップを選択し、この車両前後加速度ゲイン算出マップに基づいて車両前後加速度制御ゲインＫＸｇを求めることになる。
（第５実施の形態の効果）
これによって、下り坂や登り坂においても輪荷重に応じたゲイン設定が可能になり、操舵に対するヨーレートの応答が同じになるため、ドライバーなどに違和感を与えることなく、回避操作をアシストすることができる。
【００５０】
（第６実施の形態）
次に、図１９のフローは、この車両前後加速度ゲイン算出マップに関する第６実施の形態を示したものである。本実施の形態は図２０に示すように車両１００が旋回走行（カーブ走行）している途中で停車車両や低速度走行車両などの障害物１０１を回避するための旋回操舵を行った場合に、その旋回方向に適した車両前後加速度ゲイン算出マップに変更して用いるようにしたものである。
【００５１】
図示するように、最初のステップＳ５００においてその車両が障害物１０１を回避するための旋回を行っているか否かの旋回判断Ｆｌａｇｓを発生させて、次のステップＳ５０２に移行してその旋回判断ＦｌａｇｓがＯＮになっているか否か、すなわち車両１００が回避のための旋回中であるか否かを判断する。
この結果、旋回判断ＦｌａｇｓがＯＮになっていないと判断したとき（Ｎｏ）は、そのまま図９に示すような標準の車両前後加速度ゲイン算出マップに基づいて車両前後加速度制御ゲインＫＸｇを求める。
【００５２】
これとは反対に、旋回判断ＦｌａｇｓがＯＮになっていると判断したとき（Ｙｅｓ）は、ステップＳ５０４に移行し、さらにそれが旋回内側への回避（図２０のＡ）であるか否かを判断する。
この結果、旋回内側への回避（図２０のＡ）であると判断したとき（Ｙｅｓ）は次のステップＳ５０６に移行して図２１の実線に示すように、制御ゲインが“１．０”を下回る領域（低Ｇ領域）とその量が小さい車両前後加速度ゲイン算出マップ（（Width_Xg+dKXg）-Gein_Circle1）を選択し、この車両前後加速度ゲイン算出マップに基づいて車両前後加速度制御ゲインＫＸｇを求める。
【００５３】
一方、ステップＳ５０４の判断処理において旋回内側への回避（図２０のＡ）でないと判断したとき（Ｎｏ）はステップＳ５０８側に移行し、旋回外側への回避（図２０のＢ）であるか否かを判断する。
この結果、旋回外側への回避（図２０のＢ）でもないと判断したとき（Ｎｏ）は、ステップＳ５０２における旋回判断Ｆｌａｇｓ＝ＯＮが無効であると判断してそのまま図９に示すような標準の車両前後加速度ゲイン算出マップに基づいて車両前後加速度制御ゲインＫＸｇを求める。
【００５４】
これに対し、旋回外側への回避（図２０のＢ）であると判断したとき（Ｙｅｓ）は、ステップＳ５１０に移行して図２１の一点破線に示すように、制御ゲインが“１．０”を下回る領域（低Ｇ領域）とその量が大きい車両前後加速度ゲイン算出マップ（（Width_Xg+dKXg）+Gein__Circle2）を選択し、この車両前後加速度ゲイン算出マップに基づいて車両前後加速度制御ゲインＫＸｇを求める。
【００５５】
すなわち、車両１００の旋回走行時は、旋回外側に荷重が移っているため、荷重が小さい旋回内側を使った旋回内側への回避Ａ時には、制御ゲインを下げる領域と量を小さくする車両前後加速度ゲイン算出マップを選択し、この車両前後加速度ゲイン算出マップに基づいて車両前後加速度制御ゲインＫＸｇを求めることになる。
反対に、荷重が大きい旋回外輪を使った旋回外側への回避時には、制御ゲインを下げる領域と量を大きくする車両前後加速度ゲイン算出マップを選択し、この車両前後加速度ゲイン算出マップに基づいて車両前後加速度制御ゲインＫＸｇを求めることになる。
【００５６】
（第６実施の形態の効果）
これによって、旋回時には、各輪の輪荷重に応じたゲイン設定が可能になり、操舵に対するヨーレートの応答が同じになるため、ドライバーなどに違和感を与えることなく、回避操作をアシストすることができる。
【図面の簡単な説明】
【００５７】
【図１】本発明に係る車両挙動制御装置およびこれを備えた車両１００の駆動系の構成を示した概略図である。
【図２】図１に示すコントロールユニット８の具体例を示すブロック図である。
【図３】本発明の実施形態における図１のコントロールユニット８で実行される車両挙動制御処理を示すフローチャートである。
【図４】図２の車両挙動制御処理における制御ゲイン演算処理を示すフローチャートである。
【図５】車速感応ゲイン算出マップの一例を示す図である。
【図６】操舵角加速度ゲイン算出マップの一例を示す図である。
【図７】路面摩擦係数ゲイン算出マップの一例を示す図である。
【図８】横加速度ゲイン算出マップの一例を示す図である。
【図９】本実施の形態に係る標準的な前後加速度ゲイン算出マップの一例を示す図である。
【図１０】車両のヨーレート特性を示す図である。
【図１１】ブレーキ液圧ゲイン算出マップの一例を示す図である。
【図１２】車両重量が異なる場合の前後加速度ゲイン算出マップの選択処理の流れを示すフローチャートである。
【図１３】車両重量および路面の摩擦係数が異なる場合の前後加速度ゲイン算出マップの一例を示す図である。
【図１４】路面の摩擦係数が異なる場合の前後加速度ゲイン算出マップの選択処理の流れを示すフローチャートである。
【図１５】車両速度が異なる場合の前後加速度ゲイン算出マップの選択処理の流れを示すフローチャートである。
【図１６】車両速度が異なる場合の前後加速度ゲイン算出マップの一例を示す図である。
【図１７】坂道走行時の前後加速度ゲイン算出マップの選択処理の流れを示すフローチャートである。
【図１８】坂道走行時の前後加速度ゲイン算出マップの一例を示す図である。
【図１９】旋回走行中の旋回回避時の前後加速度ゲイン算出マップの選択処理の流れを示すフローチャートである。
【図２０】旋回走行中の旋回回避における動作を説明する図である。
【図２１】旋回走行中の旋回回避時の前後加速度ゲイン算出マップの一例を示す図である。
【符号の説明】
【００５８】
１００…車両
５ＦＬ、５ＦＲ…前輪
５ＲＬ、５ＲＲ…後輪
７…制動流体圧制御回路 
８…コントロールユニット 
９…エンジン 
１０…自動変速機
１２…駆動トルクコントローラ 
１４…外界認識センサ 
１５…加速度センサ 
１６…ヨーレートセンサ 
１７…マスタシリンダ圧センサ 
１８…操舵アクチュエータ
２０…操舵角センサ 
２１ＦＬ〜２１ＲＲ…車輪速センサ
【図１】
0005109781.tif 000002
【図２】
0005109781.tif 000003
【図３】
0005109781.tif 000004
【図４】
0005109781.tif 000005
【図５】
0005109781.tif 000006
【図６】
0005109781.tif 000007
【図７】
0005109781.tif 000008
【図８】
0005109781.tif 000009
【図９】
0005109781.tif 000010
【図１０】
0005109781.tif 000011
【図１１】
0005109781.tif 000012
【図１２】
0005109781.tif 000013
【図１３】
0005109781.tif 000014
【図１４】
0005109781.tif 000015
【図１５】
0005109781.tif 000016
【図１６】
0005109781.tif 000017
【図１７】
0005109781.tif 000018
【図１８】
0005109781.tif 000019
【図１９】
0005109781.tif 000020
【図２０】
0005109781.tif 000021
【図２１】
0005109781.tif 000022